(57)【要約】【課題】画像形成装置の付属装置に調整データを記憶するための不揮発性メモリを設けることなくとも、付属装置が調整データを取得し調整を実施することが可能な画像形成装置の付属装置の調整方法を提供することである。【解決手段】付属装置が所定の動作をするように予め求めた調整データを所定の符号化方式で符号化するステップと、該符号化後の調整データを前記付属装置が接続された画像形成装置に入力するステップと、該入力された符号化後の調整データを復号化するステップと、該復号化された調整データに基づいて前記付属装置を駆動するステップとを有することを特徴とする。【選択図】　図１
2004064248.tif 000002
【特許請求の範囲】
【請求項１】
原稿から画像を読み取る画像読取手段と画像データに基づいて用紙に画像を形成する画像形成手段とを有する画像形成装置に選択的に接続されて用いられる付属装置の動作を調整する画像形成装置の付属装置の調整方法において、
前記付属装置が所定の動作をするように予め求めた調整データを所定の符号化方式で符号化するステップと、該符号化後の調整データを前記付属装置が接続された画像形成装置に入力するステップと、該入力された符号化後の調整データを復号化するステップと、該復号化された調整データに基づいて前記付属装置を駆動するステップとを有することを特徴とする画像形成装置の付属装置の調整方法。
【請求項２】
原稿から画像を読み取る画像読取手段と画像データに基づいて用紙に画像を形成する画像形成手段とを有する画像形成装置において、
付属装置が接続され該付属装置と通信する通信手段と、前記付属装置が所定の動作をするように予め求めた調整データが所定の符号化方式で符号化された状態で入力される入力手段と、前記入力手段によって入力された符号化後の調整データを復号化する復号化手段と、前記復号化手段によって復号化された調整データを前記通信手段を介して前記付属装置に送信する送信手段とを備えたことを特徴とする画像形成装置。
【請求項３】
前記所定の符号化方式が符号化前のデータ量よりも符号化後のデータ量が低減されるものであることを特徴とする請求項２に記載の画像形成装置。
【請求項４】
前記所定の符号化方式がデータをバーコード化するものであり、
前記入力手段がバーコード化された調整データを読み取るものであることを特徴とする請求項２に記載の画像形成装置。
【請求項５】
原稿から画像を読み取る画像読取手段と画像データに基づいて用紙に画像を形成する画像形成手段とを有する画像形成装置に選択的に接続されて用いられる付属装置の動作を調整する画像形成装置の付属装置の調整方法において、
ネットワークを介して接続された外部装置から、付属装置が所定の動作をするように予め求めた調整データを受信するステップと、該受信した調整データに基づいて前記付属装置を駆動するステップとを有することを特徴とする画像形成装置の付属装置の調整方法。
【請求項６】
原稿から画像を読み取る画像読取手段と画像データに基づいて用紙に画像を形成する画像形成手段とを有する画像形成装置において、
付属装置が接続され該付属装置と通信する第１の通信手段と、前記付属装置が所定の動作をするように予め求めた調整データが記憶されたホストマシンと通信する第２の通信手段と、前記第２の通信手段によって前記ホストマシンから受信した調整データを前記第１の通信手段を介して前記付属装置に送信する送信手段とを備えたことを特徴とする画像形成装置。
【発明の詳細な説明】
【０００１】
【発明の属する技術分野】
本発明は画像形成装置の付属装置の調整方法に関し、詳しくは画像形成装置に付属して用いられる付属装置の動作を調整する画像形成装置の付属装置の調整方法に関する。
【０００２】
【従来の技術】
従来から、画像が記録された原稿から画像を読み取って画像データとして出力する画像読取手段と、画像データに基づいて用紙等に画像を形成する画像形成手段とを有するディジタル複写機等の画像形成装置がよく知られている。
【０００３】
このような画像形成装置では、ＤＦ（原稿自動搬送装置）やフィニッシャー（後処理装置）等の付属装置が用いられることがあるが、これらの付属装置を利用せずとも画像形成装置の基本機能は実現されるため、これらの装置はオプションとして（選択的に）ユーザに提供される。
【０００４】
ところで、これらの付属装置を実際に使用する際には、装置の各種動作が正常に行われるようにするための調整が必要であり、この正常に動作させるためのパラメータである調整データを予め求めておく必要がある。この調整データは、各付属装置の個体ごとに異なる可能性があるため、個体ごとに求め、その装置を実際に使用する際にその調整データを用いた調整を行う。
【０００５】
従来は、画像形成装置の付属装置が自身の調整データを記憶するための不揮発性メモリを有し、この不揮発性メモリに調整データを記憶させた上で出荷し、付属装置付き画像形成装置の使用時には、付属装置がこの不揮発性メモリから調整データを読み出してくることによって調整データを取得しこれに基づいた調整を行うようにしていた。
【０００６】
【発明が解決しようとする課題】
ところで、画像形成装置の付属装置を動作させるときには、画像形成装置と接続して用いられるのが通常であり、このため、付属装置を動作させるプログラム等のデータのうち付属装置単体の調整データ以外のものについては、画像形成装置側のメモリに記憶させておくことが可能である。
【０００７】
ところが、付属装置の調整データに関しては、付属装置を画像形成装置と組み合わせる前に求めるものであるため、画像形成装置のメモリに記憶させておくことができず、このため従来は、付属装置の調整データを記憶させておくためだけに、付属装置に不揮発性メモリを設けなければならなくなっていた。この状態は構成的に柔軟性に欠けるため、これを解決し、コストも低減することが望まれる。
【０００８】
本発明は上記の点にかんがみてなされたもので、画像形成装置の付属装置に調整データを記憶するための不揮発性メモリを設けることなくとも、付属装置が調整データを取得し調整を実施することが可能な画像形成装置の付属装置の調整方法を提供することを目的とする。
【０００９】
【課題を解決するための手段】
本発明は上記の目的を達成するために、原稿から画像を読み取る画像読取手段と画像データに基づいて用紙に画像を形成する画像形成手段とを有する画像形成装置に選択的に接続されて用いられる付属装置の動作を調整する画像形成装置の付属装置の調整方法において、前記付属装置が所定の動作をするように予め求めた調整データを所定の符号化方式で符号化するステップと、該符号化後の調整データを前記付属装置が接続された画像形成装置に入力するステップと、該入力された符号化後の調整データを復号化するステップと、該復号化された調整データに基づいて前記付属装置を駆動するステップとを有することを特徴とする。
【００１０】
また本発明は、原稿から画像を読み取る画像読取手段と画像データに基づいて用紙に画像を形成する画像形成手段とを有する画像形成装置において、付属装置が接続され該付属装置と通信する通信手段と、前記付属装置が所定の動作をするように予め求めた調整データが所定の符号化方式で符号化された状態で入力される入力手段と、前記入力手段によって入力された符号化後の調整データを復号化する復号化手段と、前記復号化手段によって復号化された調整データを前記通信手段を介して前記付属装置に送信する送信手段とを備えたことを特徴とする。
【００１１】
また本発明は、請求項２に記載の画像形成装置において、前記所定の符号化方式が符号化前のデータ量よりも符号化後のデータ量が低減されるものであり、前記入力手段が前記符号化後の調整データを担当者が手入力するものであることを特徴とする。
【００１２】
また本発明は、請求項２に記載の画像形成装置において、前記所定の符号化方式がデータをバーコード化するものであり、前記入力手段がバーコード化された調整データを読み取るものであることを特徴とする。
【００１３】
また本発明は、原稿から画像を読み取る画像読取手段と画像データに基づいて用紙に画像を形成する画像形成手段とを有する画像形成装置に選択的に接続されて用いられる付属装置の動作を調整する画像形成装置の付属装置の調整方法において、ネットワークを介して接続された外部装置から、付属装置が所定の動作をするように予め求めた調整データを受信するステップと、該受信した調整データに基づいて前記付属装置を駆動するステップとを有することを特徴とする。
【００１４】
また本発明は、原稿から画像を読み取る画像読取手段と画像データに基づいて用紙に画像を形成する画像形成手段とを有する画像形成装置において、付属装置が接続され該付属装置と通信する第１の通信手段と、前記付属装置が所定の動作をするように予め求めた調整データが記憶されたホストマシンと通信する第２の通信手段と、前記第２の通信手段によって前記ホストマシンから受信した調整データを前記第１の通信手段を介して前記付属装置に送信する送信手段とを備えたことを特徴とする。
【００１５】
【発明の実施の形態】
以下、本発明の実施の形態を図面を参照して説明する。
【００１６】
図１は、本発明による画像形成装置の付属装置の調整方法の第１の実施の形態が適用される、画像形成装置およびその付属装置を示すブロック図である。
【００１７】
本発明において、付属装置としては、ＤＦ（原稿自動搬送装置）、フィニッシャー（断裁機、パンチャー、ステイプラー、ソーター）等を対象とすることができる。
【００１８】
また、これらの付属装置における調整データとしては、たとえば、付属装置が原稿自動搬送装置の場合には、原稿読み取りタイミング（原稿サイズごとに時間的調整）や歪み補正（位置的調整）などが挙げられ、付属装置が後処理装置の場合には、ステイプル位置補正（位置的調整）やソート時の紙押さえ位置（位置的調整）やパンチ時の留め位置（位置的調整）などが挙げられ、これらを調整するための駆動手段たとえばステッピングモータのステップ数等が具体的な調整データである。
【００１９】
なお、後述の各実施の形態では、画像形成装置の例として電子写真方式のディジタル複写機を挙げ、付属装置の例として原稿自動搬送装置を挙げて説明する。
【００２０】
図１に示すように、本実施の形態においては、ディジタル複写機１と原稿自動搬送装置２とが接続されて用いられる。
【００２１】
ディジタル複写機１は、全体の制御を行う制御手段１１と、ユーザが操作入力したりユーザに対する情報表示を行う操作手段１２と、原稿から画像を読み取る画像読取手段１３と、たとえば紙などに画像を形成する画像形成手段１４と、動作プログラムや各種パラメータ等を記憶する記憶手段１５と、符号化された調整データを復号化する復号化手段１６と、付属装置と通信する通信手段１７とを有して構成される。
【００２２】
原稿自動搬送装置２は、全体の制御を行う制御手段２１と、前述の調整データを反映して各部を駆動する駆動手段２２と、ディジタル複写機や後述の情報処理装置と通信する通信手段２３とを有して構成される。
【００２３】
図２は、図１に示した原稿自動搬送装置２を正常動作させるための調整データを求める際の構成を示すブロック図である。
【００２４】
調整データを求める際には、図２に示すように、原稿自動搬送装置２に情報処理装置３を接続し、情報処理装置３から原稿自動搬送装置２に対して調整データを供給し、その調整データを用いて駆動手段２２を駆動した際の具合をフィードバックし、これを繰り返して最適な調整データを求める。
【００２５】
情報処理装置３としては、たとえばパソコンを用いることができるが、ディジタル複写機をこの情報処理装置として利用することも可能である。
【００２６】
情報処理装置３は、全体の制御を行う制御手段３１と、ユーザが操作入力したりユーザに対する情報表示を行う操作手段３２と、符号化された調整データを印刷する印刷手段３３と、動作プログラムや各種パラメータ等を記憶する記憶手段３４と、調整データを符号化する符号化手段３５と、付属装置と通信する通信手段３６とを有して構成される。
【００２７】
また、印刷手段３３は、符号化された調整データが印刷された印刷シート３７を出力する。
【００２８】
図３は、図２に示した構成により実現される本発明の第１の実施の形態における調整データ作成処理のフローチャートを示す図である。
【００２９】
この調整データ作成処理は、たとえば原稿自動搬送装置２を製造する工場において行われる。
【００３０】
情報処理装置３は、原稿自動搬送装置２に対して調整データを入力し、最適な調整データを求める（Ａ−１）。すべての調整が完了したならば（Ａ−２）、符号化手段３５によって調整データを符号化し（Ａ−３）、その符号化後の調整データを印刷し（Ａ−４）、印刷シート３７として出力する。
【００３１】
この印刷シート３７は原稿自動搬送装置２の出荷時に添付される。印刷シート３７をシールにして、原稿自動搬送装置２の筐体や梱包箱などに貼り付けておいてもよい。
【００３２】
なお、ステップ（Ａ−３）の符号化処理における符号化方式としては、従来から知られているいかなる方式であってもかまわないが、符号化することによって調整データそのままの文字数よりも少ない文字数となり、符号化された調整データをたとえば保守員がキーボード等から用意に入力することができるようになることが望ましい。
【００３３】
たとえば、符号化後のデータが０〜９の数字とａ〜ｚの英字の組み合わせで構成するようにししたり、１行が２０桁以内の複数個で分割構成するようにしたりして、保守員による入力のしやすさを向上させるのがよい。
【００３４】
また、この符号化に暗号化としての意味合いを持たせ、印刷シート３７に印刷された符号化後の調整データを第三者が見てもそのデータの意味を理解できないように秘密保護するものであってもよい。
【００３５】
図４は、図１に示した構成により実現される本発明の第１の実施の形態における調整データ入力処理のフローチャートを示す図である。
【００３６】
この調整データ入力処理は、たとえば原稿自動搬送装置２およびディジタル複写機１を導入したユーザの設置場所において行われる。
【００３７】
原稿自動搬送装置２およびディジタル複写機１を設置する保守員は、ディジタル複写機１の操作手段１２を用いて、原稿自動搬送装置２に添付されていた印刷シート３７に印刷された符号化データを入力する（Ｂ−１）。
【００３８】
入力が完了したならば（Ｂ−２）、復号化手段１６によって入力された符号化データを復号化し（Ｂ−３）、復号化した調整データを不揮発性のメモリたとえば記憶手段１５に記憶する（Ｂ−４、Ｂ−５）。
【００３９】
ユーザがディジタル複写機１および原稿自動搬送装置２を使用する際には、制御手段１１が記憶手段１５に記憶された調整データを読み出し、それを原稿自動搬送装置２に対して送信し、原稿自動搬送装置２の制御手段２１では受信した調整データに基づいて駆動手段２２を制御する。
【００４０】
この第１の実施の形態において、印刷シート３７に印刷される形式としては、たとえばテレビ番組のビデオ録画の際に用いられるＧコードのようなものであってもよい。
【００４１】
次に、本発明の第２の実施の形態について説明する。
【００４２】
図５は、本発明による画像形成装置の付属装置の調整方法の第２の実施の形態において、原稿自動搬送装置２を正常動作させるための調整データを求める際の構成を示すブロック図である。
【００４３】
本実施の形態においても第１の実施の形態と同様に、調整データを求める際には、図５に示すように、原稿自動搬送装置２に情報処理装置４を接続し、情報処理装置４から原稿自動搬送装置２に対して調整データを供給し、その調整データを用いて駆動手段２２を駆動した際の具合をフィードバックし、これを繰り返して最適な調整データを求める。
【００４４】
情報処理装置４としては、たとえばパソコンを用いることができるが、ディジタル複写機をこの情報処理装置として利用することも可能である。
【００４５】
原稿自動搬送装置２は、第１の実施の形態と同様に、全体の制御を行う制御手段２１と、前述の調整データを反映して各部を駆動する駆動手段２２と、ディジタル複写機や情報処理装置と通信する通信手段２３とを有して構成される。
【００４６】
情報処理装置４は、全体の制御を行う制御手段４１と、ユーザが操作入力したりユーザに対する情報表示を行う操作手段４２と、符号化された調整データをバーコード化するバーコード化手段４３と、符号化およびバーコード化された調整データを印刷するバーコード印刷手段４４と、動作プログラムや各種パラメータ等を記憶する記憶手段４５と、調整データを符号化する符号化手段４６と、付属装置と通信する通信手段４７とを有して構成される。
【００４７】
また、バーコード印刷手段４４は、符号化およびバーコード化された調整データが印刷されたバーコードシート４８を出力する。
【００４８】
図６は、本発明による画像形成装置の付属装置の調整方法の第２の実施の形態が適用される、画像形成装置およびその付属装置を示すブロック図である。
【００４９】
図６に示すように、この第２の実施の形態においては、ディジタル複写機５と原稿自動搬送装置２とが接続されて用いられる。
【００５０】
ディジタル複写機５は、全体の制御を行う制御手段５１と、ユーザが操作入力したりユーザに対する情報表示を行う操作手段５２と、原稿から画像を読み取る画像読取手段５３と、たとえば紙などに画像を形成する画像形成手段５４と、動作プログラムや各種パラメータ等を記憶する記憶手段５５と、符号化された調整データを復号化する復号化手段５６と、バーコード化されたデータを解読し符号化された調整データを出力するバーコード解読手段５７と、付属装置と通信する通信手段５８とを有して構成される。
【００５１】
図７は、図５に示した構成により実現される本発明の第２の実施の形態における調整データ作成処理のフローチャートを示す図である。
【００５２】
この調整データ作成処理は、たとえば原稿自動搬送装置２を製造する工場において行われる。
【００５３】
情報処理装置４は、原稿自動搬送装置２に対して調整データを入力し、最適な調整データを求める（Ｃ−１）。すべての調整が完了したならば（Ｃ−２）、符号化手段４６によって調整データを符号化し（Ｃ−３）、さらにバーコード化手段４３によって符号化後のデータをバーコード化し（Ｃ−４）そのバーコード化後の調整データを印刷し（Ｃ−５）、バーコードシート４８として出力する。
【００５４】
このバーコードシート４８は原稿自動搬送装置２の出荷時に添付される。シート３７をシールにして、原稿自動搬送装置２の筐体や梱包箱などに貼り付けておいてもよい。
【００５５】
なお、ステップ（Ｃ−３）の符号化処理における符号化方式としては、第１の実施の形態と同様に、従来から知られているいかなる方式であってもかまわない。
【００５６】
また、この符号化に暗号化としての意味合いを持たせ、印刷シート３７に印刷された符号化後の調整データを第三者が容易に解読できないようにしてもよい。
【００５７】
図８は、図６に示した構成により実現される本発明の第２の実施の形態における調整データ入力処理のフローチャートを示す図である。
【００５８】
この調整データ入力処理は、たとえば原稿自動搬送装置２およびディジタル複写機５を導入したユーザの設置場所において行われる。
【００５９】
原稿自動搬送装置２およびディジタル複写機５を設置する保守員は、ディジタル複写機５の画像読取手段５３を用いて、原稿自動搬送装置２に添付されていたバーコードシート４８に印刷された画像（バーコード）を入力する（Ｄ−１）。
【００６０】
制御手段５１では入力された画像（バーコード）をバーコード解読手段５７によって解読し、符号化後の調整データを得る（Ｄ−２）。
【００６１】
次に、復号化手段５６によって符号化後の調整データを復号化し（Ｄ−３）、復号化した調整データを不揮発性のメモリたとえば記憶手段５５に記憶する（Ｄ−４、Ｄ−５）。
【００６２】
ユーザがディジタル複写機５および原稿自動搬送装置２を使用する際には、制御手段５１が記憶手段５５に記憶された調整データを読み出し、それを原稿自動搬送装置２に対して送信し、原稿自動搬送装置２の制御手段２１では受信した調整データに基づいて駆動手段２２を制御する。
【００６３】
なお、この第２の実施の形態では、調整データを符号化した上でバーコード化するようにしているが、本発明はこれに限られるものではなく、調整データをそのままバーコードにしてもよいことはいうまでもない。
【００６４】
また、この第２の実施の形態では、ディジタル複写機５の画像読取手段５３によってバーコードを読み取るようにしているが、これに限らず、ディジタル複写機５に画像読取手段５３とは別のバーコードリーダを設けるようにしてもよい。
【００６５】
次に、本発明の第３の実施の形態について説明する。
【００６６】
図９は、本発明による画像形成装置の付属装置の調整方法の第３の実施の形態において、原稿自動搬送装置２を正常動作させるための調整データを求める際の構成を示すブロック図である。
【００６７】
調整データを求める際には、図９に示すように、原稿自動搬送装置２に情報処理装置６を接続し、情報処理装置６から原稿自動搬送装置２に対して調整データを供給し、その調整データを用いて駆動手段２２を駆動した際の具合をフィードバックし、これを繰り返して最適な調整データを求める。
【００６８】
求めた調整データは、ネットワーク１００を介して接続されたホストマシン７に送信し、ホストマシンにおいて記憶される。
【００６９】
ネットワーク１００は、公衆回線網であってもインターネットのようなものであってもよく、また有線であっても無線であってもかまわないことは言うまでもない。
【００７０】
情報処理装置６としては、たとえばパソコンを用いることができるが、ディジタル複写機をこの情報処理装置として利用することも可能である。
【００７１】
原稿自動搬送装置２は、第１の実施の形態と同様に、全体の制御を行う制御手段２１と、前述の調整データを反映して各部を駆動する駆動手段２２と、ディジタル複写機や情報処理装置と通信する通信手段２３とを有して構成される。
【００７２】
情報処理装置６は、全体の制御を行う制御手段６１と、ユーザが操作入力したりユーザに対する情報表示を行う操作手段６２と、ネットワーク１００を介して外部装置と通信する外部装置通信手段６３と、動作プログラムや各種パラメータ等を記憶する記憶手段６４と、調整データを符号化する符号化手段６５と、付属装置と通信する通信手段６６とを有して構成される。
【００７３】
また、ホストマシン７は、全体の制御を行う制御手段７１と、動作プログラムや各種パラメータ等を記憶する記憶手段７２と、ネットワーク１００を介して外部装置と通信する外部装置通信手段７３とを有して構成される。
【００７４】
図１０は、本発明による画像形成装置の付属装置の調整方法の第３の実施の形態が適用される、画像形成装置およびその付属装置を示すブロック図である。
【００７５】
図１０に示すように、この第３の実施の形態においては、ネットワーク１００を介してホストマシン７に接続されたディジタル複写機８と原稿自動搬送装置２とが接続されて用いられる。
【００７６】
ディジタル複写機８は、全体の制御を行う制御手段８１と、ユーザが操作入力したりユーザに対する情報表示を行う操作手段８２と、原稿から画像を読み取る画像読取手段８３と、たとえば紙などに画像を形成する画像形成手段８４と、動作プログラムや各種パラメータ等を記憶する記憶手段８５と、符号化された調整データを復号化する復号化手段８６と、ネットワーク１００を介して外部装置と通信する外部装置通信手段８７と、付属装置と通信する通信手段８８とを有して構成される。
【００７７】
図１１は、図９に示した構成により実現される本発明の第３の実施の形態における調整データ作成処理のフローチャートを示す図である。
【００７８】
この調整データ作成処理は、たとえば原稿自動搬送装置２を製造する工場において行われる。
【００７９】
情報処理装置６は、原稿自動搬送装置２に対して調整データを入力し、最適な調整データを求める（Ｅ−１）。すべての調整が完了したならば（Ｅ−２）、符号化手段６５によって調整データを符号化し（Ｅ−３）、その符号化後の調整データをホストマシン７に対して送信する（Ｅ−４）。
【００８０】
符号化後の調整データを受信したホストマシン７では、それを記憶手段７２に記憶しておく。
【００８１】
なお、ステップ（Ｃ−３）の符号化処理における符号化方式としては、第１の実施の形態と同様に、従来から知られているいかなる方式であってもかまわない。
【００８２】
また、この符号化に暗号化としての意味合いを持たせ、ネットワーク１００を流れる符号化後の調整データを第三者が容易に解読できないようにしてもよい。
【００８３】
図１２は、図１０に示した構成により実現される本発明の第３の実施の形態における調整データ入力処理のフローチャートを示す図である。
【００８４】
この調整データ入力処理は、たとえば原稿自動搬送装置２およびディジタル複写機８を導入したユーザの設置場所において行われる。
【００８５】
ディジタル複写機８は、ネットワーク１００を介してホストマシン７の記憶手段７２に記憶された符号化後の調整データを受信する（Ｆ−１）。
【００８６】
制御手段８１では、復号化手段８６によって、受信した符号化後の調整データを復号化し（Ｆ−２）、復号化した調整データを不揮発性のメモリたとえば記憶手段５５に記憶する（Ｆ−３、Ｆ−４）。
【００８７】
ユーザがディジタル複写機８および原稿自動搬送装置２を使用する際には、制御手段８１が記憶手段８５に記憶された調整データを読み出し、それを原稿自動搬送装置２に対して送信し、原稿自動搬送装置２の制御手段２１では受信した調整データに基づいて駆動手段２２を制御する。
【００８８】
なお、図１０に示した構成ではディジタル複写機６がホストマシン７に直接アクセスするようにしてあるが、本発明はこれに限らず、たとえば保守員が携帯端末装置を所持し、この携帯端末装置にホストマシン７から調整データをダウンロードしておき、この携帯端末装置からディジタル複写機６に対してデータ入力するようにしてもよい。
【００８９】
また、この第３の実施の形態では、符号化された調整データがホストマシン７の記憶手段７２に記憶され、これを受信したディジタル複写機８の復号化手段８６で復号化するようにしているが、本発明はこれに限らず、符号化しない調整データを記憶手段７２に記憶しておき、ディジタル複写機では受信した調整データを復号化せずに用いるようにしてもよい。
【００９０】
ところで、上述の各実施の形態では調整データを作成、入力する手段を１種類ずつ備えるようにしたが、本発明はこれとは別に、上述の各実施の形態の各構成をすべて備え、その都度、いずれかを選択できるようにしてもよい。すなわち、たとえば保守員が、図２に示した印刷シート３７を用いるか、図５に示したバーコードシート４８を用いるか、図９に示したホストマシン７の記憶手段７２を用いるかを、その都度自由に選択することができるようにしてもよい。
【００９１】
【発明の効果】
以上説明したように、本発明によれば、画像形成装置の付属装置に調整データを記憶するための不揮発性メモリを設けることなくとも、付属装置が調整データを取得し調整を実施することが可能な画像形成装置の付属装置の調整方法を提供することができる。
【００９２】
また本発明によれば、調整データを符号化したことにより、調整データの入力を容易にするとともに、入力間違いを減らすことができるという効果がある。
【図面の簡単な説明】
【図１】本発明による画像形成装置の付属装置の調整方法の第１の実施の形態が適用される、画像形成装置およびその付属装置を示すブロック図である。
【図２】図１に示した原稿自動搬送装置を正常動作させるための調整データを求める際の構成を示すブロック図である。
【図３】図２に示した構成により実現される本発明の第１の実施の形態における調整データ作成処理のフローチャートを示す図である。
【図４】図１に示した構成により実現される本発明の第１の実施の形態における調整データ入力処理のフローチャートを示す図である。
【図５】本発明による画像形成装置の付属装置の調整方法の第２の実施の形態において、原稿自動搬送装置２を正常動作させるための調整データを求める際の構成を示すブロック図である。
【図６】本発明による画像形成装置の付属装置の調整方法の第２の実施の形態が適用される、画像形成装置およびその付属装置を示すブロック図である。
【図７】図５に示した構成により実現される本発明の第２の実施の形態における調整データ作成処理のフローチャートを示す図である。
【図８】図６に示した構成により実現される本発明の第２の実施の形態における調整データ入力処理のフローチャートを示す図である。
【図９】本発明による画像形成装置の付属装置の調整方法の第３の実施の形態において、原稿自動搬送装置２を正常動作させるための調整データを求める際の構成を示すブロック図である。
【図１０】本発明による画像形成装置の付属装置の調整方法の第３の実施の形態が適用される、画像形成装置およびその付属装置を示すブロック図である。
【図１１】図９に示した構成により実現される本発明の第３の実施の形態における調整データ作成処理のフローチャートを示す図である。
【図１２】図１０に示した構成により実現される本発明の第３の実施の形態における調整データ入力処理のフローチャートを示す図である。
【符号の説明】
１　ディジタル複写機
１１　制御手段
１２　操作手段
１３　画像読取手段
１４　画像形成手段
１５　記憶手段
１６　復号化手段
１７　通信手段
２　原稿自動搬送装置
２１　制御手段
２２　通信手段
２３　駆動手段
３　情報処理装置
３１　制御手段
３２　操作手段
３３　印刷手段
３４　記憶手段
３５　符号化手段
３６　通信手段
３７　印刷シート
【図１】
2004064248.tif 000003
【図２】
2004064248.tif 000004
【図３】
2004064248.tif 000005
【図４】
2004064248.tif 000006
【図５】
2004064248.tif 000007
【図６】
2004064248.tif 000008
【図７】
2004064248.tif 000009
【図８】
2004064248.tif 000010
【図９】
2004064248.tif 000011
【図１０】
2004064248.tif 000012
【図１１】
2004064248.tif 000013
【図１２】
2004064248.tif 000014